(57)【要約】【課題】電子機器の薄型化を可能にする機能拡張デバイスを提供する。【解決手段】機能拡張デバイス５は、ＨＤＤユニット１０が収容される偏平なコ字状の枠体部１１と、枠体部１１の前面部に設けられ、ノート型パソコン１の筺体の一部を構成するベゼル部１２と、枠体部１１の背面部に設けられ、ノート型パソコン１と電気的に結合される第１インタフェースコネクタ１３とから構成される。枠体部１１は、ＨＤＤユニット１０を支持する側壁部１７、１８と、ＨＤＤユニット１０に結合される第２インタフェースコネクタ２０が設けられた後壁部２１とから構成され、側壁部１７、１８と後壁部２１とはいずれもＨＤＤユニット１０の厚みよりも薄く形成される。【選択図】  図３
2009151525.tif 000002
【特許請求の範囲】
【請求項１】
所定の厚さを有した機能ユニットと一体に挿入して電子機器の機能を拡張する機能拡張デバイスであって、
一端とこの一端と反対側の他端とを有した一組の側壁部と、前記側壁部の夫々の前記他端とを前記一組の側壁部が並行になるように接続する背面部とを有した枠対部と、
前記側壁部の夫々の前記一端を覆い、前記機能拡張デバイスを前記電子機器に挿入した際に前記電子機器の筺体表面の一部を構成するベゼル部と、
前記背面部に外側に向けて設けられ、前記機能拡張デバイスを前記電子機器に挿入した際に前記電子機器と電気的に接続する第１インタフェースコネクタと、
前記背面部に内側に向けて設けられ、前記機能ユニットと電気的に接続する第２インタフェースコネクタと、を備え
前記枠体部は、前記側壁部と前記背面部とによって前記機能ユニットが収容されるユニット収容部が形成され、前記機能ユニットが前記ユニット収容部に収容された際に、前記機能ユニットの前記所定の厚さよりも薄い厚さに構成されていることを特徴とする機能拡張デバイス。
【請求項２】
前記枠体部の幅と厚みとは、
前記機能拡張デバイス収容部に収容される光ディスクドライブユニットの幅と厚みよりも小さく構成されたことを特徴とする請求項１に記載の機能拡張デバイス。
【請求項３】
前記機能ユニットは、
フレキシブルディスクドライブユニット、ハードディスクドライブユニット、ソリッドステートドライブユニットおよびメモリカードリーダのうち少なくとも１であることを特徴とする請求項２記載の機能拡張デバイス。
【発明の詳細な説明】
【技術分野】
【０００１】
本発明は、電子機器の機能を拡張するための機能拡張デバイスに係り、特に電子機器の本体を薄型化できる機能拡張デバイスに関する。
【背景技術】
【０００２】
特許文献１に記載のノート型パソコンは、使用者が自由に機能を拡張するための機能拡張デバイスが着脱自在に収容されるセレクタブルベイと呼ばれる機能拡張デバイス収容部を有する。このセレクタブルベイには、フレキシブルディスクドライブユニット（以下ＦＤＤユニット）、ハードディスクドライブユニット（以下ＨＤＤユニット）、光ディスクドライブユニット（以下ＯＤＤユニット）、ソリッドステートドライブユニット（以下ＳＳＤユニット）、メモリカードリーダ等のうち、使用者の好みに応じて、いずれか１つを備えた機能拡張デバイスを選択的に収容することができる。
【０００３】
一般にパソコンは、マザーボードの大きさや、ケースへの固定に使うネジ穴の位置、Ｉ／Ｏパネルの位置と大きさ、拡張スロットの位置などを規定したフォームファクタと呼ばれる規格に準じて構成される。例えば、一般にノート型パソコンに用いられるＨＤＤユニットには、非特許文献１に記載の２．５”型のＨＤＤユニットが主に用いられ、また、ＯＤＤユニットには、非特許文献２に記載の５．２５”型のＯＤＤユニットが主に用いられる。
【特許文献１】特開平９−８１２７１号公報
【非特許文献１】ＳＦＦ  Ｃｏｍｍｉｔｔｅｅ、ＳＦＦ−８２０１  Ｓｐｅｃｉｆｉｃａｔｉｏｎ  ｆｏｒ  Ｆｏｒｍ  Ｆａｃｔｏｒ  ｏｆ  ２．５”  Ｄｉｓｋ  Ｄｒｉｖｅｓ
【非特許文献２】ＳＦＦ  Ｃｏｍｍｉｔｔｅｅ、ＳＦＦ−８５５２  Ｓｐｅｃｉｆｉｃａｔｉｏｎ  ｆｏｒ  Ｆｏｒｍ  Ｆａｃｔｏｒ  ｏｆ  ５  １／４”  ９．５ｍｍ  ａｎｄ  １２．７ｍｍ  Ｈｅｉｇｈｔ  Ｏｐｔｉｃａｌ  Ｄｒｉｖｅｓ
【発明の開示】
【発明が解決しようとする課題】
【０００４】
近年ノート型パソコンは、小型化、軽量化され、その筺体の厚みはマザーボードや、ＨＤＤユニット等を収容しつつ薄型化されたものが好まれる傾向にある。
【０００５】
しかし、機能拡張デバイス収容部を有するノート型パソコンは、機能拡張デバイスを収容するための空間を確保する必要がある。従って、筐体の厚みは機能拡張デバイスそのものの厚さに大きく起因する。即ち、特にその筺体の薄型化のためには、機能拡張デバイスの厚みが問題となる。
【０００６】
本発明は、電子機器の薄型化を可能にする機能拡張デバイスを提案することを目的とする。
【課題を解決するための手段】
【０００７】
前記の課題を解決するため本発明では、所定の厚さを有した機能ユニットと一体に挿入して電子機器の機能を拡張する機能拡張デバイスであって、一端とこの一端と反対側の他端とを有した一組の側壁部と、前記側壁部の夫々の前記他端とを前記一組の側壁部が並行になるように接続する背面部とを有した枠対部と、前記側壁部の夫々の前記一端を覆い、前記機能拡張デバイスを前記電子機器に挿入した際に前記電子機器の筺体表面の一部を構成するベゼル部と、前記背面部に外側に向けて設けられ、前記機能拡張デバイスを前記電子機器に挿入した際に前記電子機器と電気的に接続する第１インタフェースコネクタと、前記背面部に内側に向けて設けられ、前記機能ユニットと電気的に接続する第２インタフェースコネクタと、を備え前記枠体部は、前記側壁部と前記背面部とによって前記機能ユニットが収容されるユニット収容部が形成され、前記機能ユニットが前記ユニット収容部に収容された際に、前記機能ユニットの前記所定の厚さよりも薄い厚さに構成されていることを特徴とする。
【発明の効果】
【０００８】
本発明にかかる機能拡張デバイスを使用することで電子機器の薄型化が可能になる。
【発明を実施するための最良の形態】
【０００９】
本発明に係る機能拡張デバイスの実施形態について、図１から図５を参照して説明する。
【００１０】
図１は、本発明の実施の形態に係る機能拡張デバイスが収容されるノート型パソコンの外観を示した鳥瞰図である。
【００１１】
図１に示すように、ノート型パソコン１は、本体２と、起倒開閉式の表示部３とから構成される。
【００１２】
本体２には、その上面後方部に設けられたヒンジ部２ａを介して表示部３が回動可能に接続される。本体２の内部にはＣＰＵやメモリなどを備えた基板（図示省略）と、ＨＤＤユニットなどの補助記憶装置（図示省略）が収容される。本体２の上面にはキーボード４が設けられる。本体２の側面部には、使用者が自由にノート型パソコン１の機能を拡張させるための機能拡張デバイス５が着脱自在に収容されるセレクタブルベイと呼ばれる機能拡張デバイス収容部６が形成される。
【００１３】
機能拡張デバイス収容部６は、本体２の側面に形成された開口部２ｂから本体の内部に向けて機能拡張デバイス５が収容される空間が形成される。この機能拡張デバイス５が収容される空間にはＣＰＵやメモリなどを備えた基板の端部が臨み、この基板の端部には、機能拡張デバイス５と電気的に結合されるインタフェースコネクタ（図示省略）が配設される。また、機能拡張デバイス収容部６は、幅方向寸法Ｗｂ、高さ寸法Ｈに形成される。機能拡張デバイス収容部６には、ＦＤＤユニット、ＨＤＤユニット、ＳＳＤユニット、メモリカードリーダ等のノート型パソコン１の機能を拡張させるための機能ユニットのうち、少なくとも１つの機能ユニットを備えた機能拡張デバイス５のうち、使用者の好みに応じて、いずれか１つの機能拡張デバイス５またはＯＤＤユニット７を選択的に収容できる。なお、ＯＤＤユニット７の厚みｔｏは、非特許文献２に規格されており、公称値で、９．５０ｍｍ、１２．７０ｍｍである。また、ＯＤＤユニット７の幅方向寸法Ｗｏは公称値で１２８ｍｍあり、他の機能ユニットに比べて最も大きい。したがって、厚みが同じに構成されたＦＤＤユニット、ＨＤＤユニット、ＳＳＤユニット、メモリカードリーダ等の機能ユニットおよびＯＤＤユニット７のうち、ＯＤＤユニット７が最も大型である。
【００１４】
図２は、本発明の実施の形態に係る機能拡張デバイスに収容されるＨＤＤユニットの一例を示す斜視図である。
【００１５】
図２に示すように、ＨＤＤユニット１０は、例えば、非特許文献１に記載の２．５”型のＨＤＤユニットであり、偏平な箱状の機能ユニットである。ＨＤＤユニット１０の背面部１０ａにはインタフェースコネクタ１０ｂが設けられる。インタフェースコネクタ１０ｂが設けられた背面部１０ａに隣り合う２つの側面部１０ｃには、それぞれ２つの結合孔１０ｄが設けられる。夫々の結合孔１０ｄは互いに対向する位置に向かい合う側面部１０ｃに設けられた結合孔１０ｄと対向する位置に設けられている。結合孔１０ｄには雌ねじが形成される。また、ＨＤＤユニット１０は、上面部１０ｅと、前面部１０ｆと、底面部１０ｇとを有する。
【００１６】
ＨＤＤユニット１０の厚みｔｕは、非特許文献１に規格されており、公称値で、７．００ｍｍ、８．４７ｍｍ、９．５０ｍｍ、１０．５０ｍｍ、１２．７０ｍｍ、１５．００ｍｍ、１７．００ｍｍおよび１９．０５ｍｍである。
【００１７】
図３および図４は、本発明の実施の形態に係る機能拡張デバイスを示した斜視図であり、図５および図６は、本発明の実施の形態に係る機能拡張デバイスを示した底面図である。
【００１８】
図３から図６に示された機能拡張デバイス５は、特にＨＤＤユニットをノート型パソコンの機能拡張デバイス収容部に収容するものであり、図３および図５は機能拡張デバイスにＨＤＤユニットが収容された状態を示す図であり、図４および図６は機能拡張デバイスからＨＤＤユニットが取り外された状態を示す図である。
【００１９】
図３から図６に示すように、機能拡張デバイス５は、ＨＤＤユニット１０が収容されるユニット収容部１１ａが形成された偏平なコ字状の枠体部１１と、枠体部１１の前面部１１ｂに設けられ、ノート型パソコン１に収容された状態でノート型パソコン１の筺体表面の一部を構成するベゼル部１２と、枠体部１１の背面部１１ｃから外側に向けて設けられ、ノート型パソコン１と電気的に結合される第１インタフェースコネクタ１３と、ユニット収容部１１ａに収容されたＨＤＤユニット１０を支持するＨＤＤブラケット１４とから構成される。
【００２０】
枠体部１１は、ＨＤＤユニット１０の側面部１０ｃに沿って延設され、ＨＤＤユニット１０を支持する側壁部１７、１８と、ＨＤＤユニット１０の背面部１０ａに沿って延設され、ＨＤＤユニット１０のインタフェースコネクタ１０ｂに結合される第２インタフェースコネクタ２０が内側にむけて設けられた後壁部２１とから構成され、側壁部１７、１８と後壁部２１とのそれぞれの厚みｔｄはいずれもＨＤＤユニット１０の厚みｔｕよりも薄く形成される。
【００２１】
枠体部１１の前面部１１ｂ、すなわち、側壁部１７の前面部１７ａと側壁部１８の前面部１８ａとには、ベゼル部１２が設けられ、枠体部１１の前面開口部が封止される。側壁部１７の前端部１７ｂには、ベゼル部１２の一方の端部１２ａが回転機構２２によって回動自在に設けられ、側壁部１８の前端部１８ｂには、ベゼル部１２の他方の端部１２ｂに形成された係止爪（図示省略）が係止されるベゼル部係止機構２３が設けられる。側壁部１７、１８には、ＨＤＤユニット１０を覆うＨＤＤブラケット１４に形成された支持突起用溝２９に嵌め込まれてＨＤＤユニット１０をユニット収容部１１ａに支持する支持突起２４が形成される。
【００２２】
ベゼル部１２は、ノート型パソコン１の本体２に設けられた機能拡張デバイス収容部６の開口部２ｂよりも若干小さく形成され、機能拡張デバイス５が機能拡張デバイス収容部６に収容されると本体２の筺体表面の一部となる。また、ベゼル部１２が枠体部１１の側壁部１８に設けられたベゼル部係止機構２３に係止されると、枠体部１１に配設されたＨＤＤユニット１０の前後方向の移動が阻止される。ベゼル部１２は、側壁部１７の前端部１７ｂに回動可能に設けられ、その回動方向は機能拡張デバイス５の実線矢Ａで示された前後方向または実線矢Ａに直交する上下方向に構成することができる。なお、ベゼル部１２には、側壁部１７の前端部１７ｂと側壁部１８の前端部１８ｂとに係止される係止爪を形成し、側壁部１７の前端部１７ｂと側壁部１８の前端部１８ｂとのそれぞれにベゼル部係止機構２３を設けて、側壁部１７の前面部１７ａと側壁部１８の前面部１８ａとに、すなわち枠体部１１の前面部１１ｂにベゼル部１２を着脱自在に係止させるよう構成しても良い。
【００２３】
第１インタフェースコネクタ１３は、枠体部１１の後壁部２１内に収容されたコネクタ基板２６上に固定される。コネクタ基板２６には、第２インタフェースコネクタ２０も固定され、第１インタフェースコネクタ１３と第２インタフェースコネクタ２０とは、コネクタ基板２６上の配線によって電気的に結合される。
【００２４】
図７は、本発明の実施の形態に係る機能拡張デバイスにＨＤＤユニットを支持するＨＤＤブラケットを示した斜視図である。
【００２５】
図７に示すように、ＨＤＤブラケット１４は、ＨＤＤユニット１０の側面部１０ｃにそれぞれ独立したブラケットとして構成される。ＨＤＤブラケット１４には、ＨＤＤユニット１０の側面部１０ｃに設けられた結合孔１０ｄに対応させて開口部１４ａが形成される。また、ＨＤＤブラケット１４には、枠体部１１の側壁部１７、１８に設けられた支持突起２４に対応させて、支持突起２４が嵌め込まれる支持突起用溝２９が形成される。
【００２６】
ＨＤＤブラケット１４は、支持突起用溝２９に枠体部１１の側壁部１７、１８に設けられた支持突起２４が嵌め込まれると枠体部１１のユニット収容部１１ａにＨＤＤユニット１０を支持する。なお、ＨＤＤブラケット１４はＨＤＤユニット１０の前面部１０ｆを覆う前面部と、ＨＤＤユニット１０の２つの側面部１０ｃを覆う側面部とから構成することもできる。
【００２７】
図８は、本発明の実施の形態に係る機能拡張デバイスの縦断面図である。
【００２８】
図８に示すように、ＨＤＤユニット１０を覆うＨＤＤブラケット１４は、開口部１４ａを介してＨＤＤユニット１０の側面部１０ｃに設けられた結合孔１０ｄにブラケット固定ネジ２８によって螺設される。また、ＨＤＤブラケット１４には枠体部１１を構成する側壁部１７、１８に設けられた支持突起２４に対応させて、支持突起２４が嵌め込まれる支持突起用溝２９が形成される。
【００２９】
支持突起用溝２９は、直線溝部２９ａと、切り欠き溝部２９ｂとから構成される。
【００３０】
直線溝部２９ａは、支持突起２４の軸径φよりも若干大きい溝幅ｗを有し、ＨＤＤユニット１０のインタフェースコネクタ１０ｂが機能拡張デバイス５の第２インタフェースコネクタ２０に結合されると、支持突起２４が直線溝部２９ａの前方端部２９ｃに当接される。
【００３１】
切り欠き溝部２９ｂは、ＨＤＤユニット１０のインタフェースコネクタ１０ｂが機能拡張デバイス５の第２インタフェースコネクタ２０から結合解除された状態で、ＨＤＤユニット１０の前後方向摺動のガイドと、支持突起２４の挿入とが可能である。すなわち、支持突起用溝２９は、ＨＤＤユニット１０を枠体部１１に収容する際のガイドとなる。
【００３２】
図９は、本発明の実施の形態に係る機能拡張デバイスの他の一例を示した斜視図である。
【００３３】
図９に示すように、機能拡張デバイス５には、非特許文献２に規格されたＯＤＤユニット７の形状に対応させて、ウイング部３０を設けることができる。ウイング部３０には、例えば半導体メモリの読み取り、書き込みが可能なメモリカードリーダなどを設けることができる。
【００３４】
ここで、従来の機能拡張デバイスについて説明する。
【００３５】
図１０および図１１は、従来の機能拡張デバイスの外観を示した斜視図であり、図１２は、従来の機能拡張デバイスを示した底面図である。
【００３６】
図１０から図１２に示された従来の機能拡張デバイス５０は、特にＨＤＤユニットをノート型パソコンの機能拡張デバイス収容部に収容するものであり、図１０は機能拡張デバイスにＨＤＤユニットが収容された状態を示す図であり、図１１は機能拡張デバイスからＨＤＤユニットが取り外された状態を示す図である。
【００３７】
図１０から図１２に示すように、従来の機能拡張デバイス５０は、上面が開口され、ＨＤＤユニットが収容されるユニット収容部５１ａが形成された偏平な箱体部５１と、箱体部５１の前面部５１ｂに設けられ、ノート型パソコン１に収容された状態でノート型パソコン１の筺体表面の一部を構成するベゼル部１２と、箱体部５１の背面部５１ｃに設けられ、ノート型パソコンと電気的に結合される第１インタフェースコネクタ１３と、ユニット収容部５１ａに収容されたＨＤＤユニット１０を支持するＨＤＤブラケット５２とから構成される。
【００３８】
箱体部５１は、ＨＤＤユニット１０の底面部１０ｇを支持する底板部５３と、底板部５３の側端５３ａに沿って上方に延設され、ＨＤＤユニットの側面部１０ｃを支持する側壁部５４、５５と、底板部５３の後端５３ｂに沿って上方に延設され、ＨＤＤユニット１０のインタフェースコネクタ１０ｂに結合される第２インタフェースコネクタ２０が設けられた後壁部５７と、底板部５３の前縁５３ｃに亘って設けられ、ＨＤＤユニット１０の前後方向の移動を阻止するＨＤＤ係止部材５８とから構成される。
【００３９】
箱体部５１の前面部５１ｂ、すなわち、側壁部５４の前面部５４ａと側壁部５５の前面部５５ａとには、ベゼル部１２が設けられ、箱体部５１の前面開口部が封止される。側壁部５４の前端部５４ｂには、ＨＤＤ係止部材５８の一方の端部５８ａが回動自在に設けられ、側壁部５５の前端部５５ｂには、ＨＤＤ係止部材５８の他方の端部５８ｂに形成された係止爪（図示省略）が係止される係止部材係止機構６０が設けられる。
【００４０】
側壁部５４、５５は、後壁部５７側に偏位されＨＤＤユニット１０の側面部１０ｃの一部が露出される切り欠き凹部６１と、ＨＤＤユニット１０を覆うＨＤＤブラケット５２に設けられた支持突起用溝５９に嵌め込まれてＨＤＤユニット１０を支持する支持突起６２とを有する。
【００４１】
側壁部５５には、側方に延設されたウイング部６３が形成される。
【００４２】
図１３は、従来の機能拡張デバイスにＨＤＤユニットを支持するＨＤＤブラケットを示した斜視図である。
【００４３】
図１３に示すように、ＨＤＤブラケット５２は、ＨＤＤユニット１０の前面部１０ｆを覆う前面部５２ａと、ＨＤＤユニット１０の２つの側面部１０ｃを覆う側面部５２ｂと、ＨＤＤユニット１０の底面部１０ｇを覆う底面部５２ｃと、ＨＤＤユニット１０の背面部１０ａの一部を覆う背面部５２ｄとから構成される。ＨＤＤブラケット５２の側面部５２ｂには、ＨＤＤユニット１０の側面部１０ｃに設けられた結合孔１０ｄに対応させて開口部５２ｅが形成される。また、ＨＤＤブラケット５２の側面部５２ｂには、箱体部５１の側壁部５５に設けられた支持突起６２に対応させて、支持突起６２が嵌め込まれる支持突起用溝５９が形成される。
【００４４】
このように構成された従来の機能拡張デバイス５０を用いて、例えば、９．５ｍｍの厚みｔｕを有するＨＤＤユニット１０を、ノート型パソコン１の機能拡張デバイス収容部６に収容する場合は、従来の機能拡張デバイス５０の厚みｔｄは、底板部５３やＨＤＤユニット１０の底面部１０ｇを覆うＨＤＤブラケット５２の底面部５２ｃの肉厚によって、ＨＤＤユニット１０の厚みｔｕよりも大きくなる。すなわち、例えば、従来の機能拡張デバイス５０と９．５ｍｍの厚みを有するＯＤＤユニット７とを選択的にノート型パソコン１の機能拡張デバイス収容部６に収容する場合は、従来の機能拡張デバイス５０の厚みｔｄはＯＤＤユニット７の厚みｔｏ、例えばｔｏ＝９．５ｍｍよりも大きくなる。
【００４５】
ＯＤＤユニット７の幅方向寸法Ｗｏは公称値で１２８ｍｍあり、他の機能ユニットに比べて最も大きい。しかし、機能拡張デバイス５０の厚みｔｄがＯＤＤユニット７の厚みｔｏよりも大きくなれば、機能拡張デバイス収容部６の開口部２ｂの大きさはＯＤＤユニット７の大きさのみによっては定まらず、機能拡張デバイス収容部６の幅方向寸法ＷｂはＯＤＤユニット７の幅寸法Ｗｏを包絡し、その高さ寸法Ｈは機能拡張デバイス５０の厚みｔｄを包絡する必要が生じる。
【００４６】
したがって、ノート型パソコン１の本体２に設けられた機能拡張デバイス収容部６は機能拡張デバイス５０の厚みｔｄと少なくとも同じ以上の高さ寸法Ｈを必要とすることなり、ノート型パソコン１の薄型化を阻害する要因になる。
【００４７】
他方、本実施形態に係る機能拡張デバイス５を用いて、例えば、９．５ｍｍの厚みｔｄを有するＨＤＤユニット１０と、９．５ｍｍの厚みｔｏを有するＯＤＤユニット７とを、ノート型パソコン１の機能拡張デバイス収容部６に選択的に収容する場合を考える。機能拡張デバイス５では、枠体部１１の厚みｔｄはＨＤＤユニット１０の厚みｔｕよりも小さく構成されるため、機能拡張デバイス５全体の厚みはＨＤＤユニットの厚みｔｕによって決まり、その厚みｔｕはＯＤＤユニット７の厚みｔｏと同じ９．５ｍｍとなる。
【００４８】
すなわち、機能拡張デバイス５は、枠体部１１の厚みｔｄと幅寸法とを非特許文献２に記載の５．２５”型のＯＤＤユニット７と略同様以下に構成することができるので、ＨＤＤユニット１０よりも大型な非特許文献２に記載の５．２５”型のＯＤＤユニット７と略同様の形状および大きさに構成できる。
【００４９】
したがって、ノート型パソコン１の本体２に設けられた機能拡張デバイス収容部６は、機能拡張デバイス５の厚みｔｄには影響されずに、ＨＤＤユニット１０の厚みｔｄまたはＯＤＤユニット７の厚みｔｏと少なくとも同じ以上の開口高さＨがあればよく、ＯＤＤユニット７とＨＤＤユニット１０と選択的に収容することが可能になって、ノート型パソコン１の薄型化が阻害されることはない。
【００５０】
また、機能拡張デバイス５は、ＨＤＤユニット１０の他にＦＤＤユニット、ＳＳＤユニット、メモリカードリーダ等の偏平な箱状の機能ユニットを備える場合も、各機能ユニットよりも大型な非特許文献２に記載の５．２５”型のＯＤＤユニット７と略同様の形状および大きさに構成できので、機能拡張デバイス収容部６は、機能拡張デバイス収容部６に収容される各機能ユニットの厚みと少なくとも同じ以上の開口高さがあればよく、各機能ユニットを選択的に収容することが可能であり、かつノート型パソコン１の薄型化が阻害されることはない。
【００５１】
本実施形態に係る機能拡張デバイス５によれば、ノート型パソコン１などの電子機器に形成されたセレクタブルベイなどの機能拡張デバイス収容部６の開口高さを、機能拡張デバイス５を介して機能拡張デバイス収容部６に収容される任意の機能ユニットおよびＯＤＤユニット７のうち、最も大型のＯＤＤユニット７を収容可能な所定の範囲に形成し、電子機器の薄型化を可能にする。
【００５２】
したがって、本実施形態に係る機能拡張デバイスを使用することで電子機器の薄型化が可能になる。
【図面の簡単な説明】
【００５３】
【図１】本発明の実施の形態に係る機能拡張デバイスが収容されるノート型パソコンの外観を示した鳥瞰図。
【図２】本発明の実施の形態に係る機能拡張デバイスに収容されるＨＤＤユニットの一例を示す斜視図。
【図３】本発明の実施の形態に係る機能拡張デバイスを示した斜視図であり、機能拡張デバイスにＨＤＤユニットが収容された状態を示す図。
【図４】本発明の実施の形態に係る機能拡張デバイスを示した斜視図であり、機能拡張デバイスからＨＤＤユニットが取り外された状態を示す図。
【図５】本発明の実施の形態に係る機能拡張デバイスを示した底面図であり、機能拡張デバイスにＨＤＤユニットが収容された状態を示す図。
【図６】本発明の実施の形態に係る機能拡張デバイスを示した底面図であり、機能拡張デバイスからＨＤＤユニットが取り外された状態を示す図。
【図７】本発明の実施の形態に係る機能拡張デバイスにＨＤＤユニットを支持するＨＤＤブラケットを示した斜視図。
【図８】本発明の実施の形態に係る機能拡張デバイスの縦断面図。
【図９】本発明の実施の形態に係る機能拡張デバイスの他の一例を示した斜視図。
【図１０】従来の機能拡張デバイスを示した斜視図であり、従来の機能拡張デバイスにＨＤＤユニットが収容された状態を示す図。
【図１１】従来の機能拡張デバイスを示した斜視図であり、従来の機能拡張デバイスからＨＤＤユニットが取り外された状態を示す図。
【図１２】従来の機能拡張デバイスを示した底面図。
【図１３】従来の機能拡張デバイスにＨＤＤユニットを支持するＨＤＤブラケットを示した斜視図。
【符号の説明】
【００５４】
１  ノート型パソコン
２  本体
２ａ  ヒンジ部
２ｂ  開口部
３  表示部
４  キーボード
５  機能拡張デバイス
６  機能拡張デバイス収容部
７  ＯＤＤユニット
１０  ＨＤＤユニット
１０ａ  背面部
１０ｂ  インタフェースコネクタ
１０ｃ  側面部
１０ｄ  結合孔
１０ｅ  上面部
１０ｆ  前面部
１０ｇ  底面部
１１  枠体部
１１ａ  ユニット収容部
１１ａ  前面部
１１ｂ  背面部
１２  ベゼル部
１２ａ  端部
１２ｂ  端部
１３  第１インタフェースコネクタ
１４  ＨＤＤブラケット
１４ａ  開口部
１７  側壁部
１７ａ  前面部
１７ｂ  前端部
１８  側壁部
１８ａ  前面部
１８ｂ  前端部
２０  第２インタフェースコネクタ
２１  後壁部
２２  回転機構
２３  ベゼル部係止機構
２４  支持突起
２６  コネクタ基板
２８  ブラケット固定ネジ
２９  支持突起用溝
２９ａ  直線溝部
２９ｂ  切り欠き溝部
２９ｃ  前方端部
３０  ウイング部
５０従来の機能拡張デバイス
５１  箱体部
５１ａ  ユニット収容部
５１ｂ  前面部
５１ｃ  背面部
５２  ＨＤＤブラケット
５２ａ  前面部
５２ｂ  側面部
５２ｃ  底面部
５２ｄ  背面部
５２ｅ  開口部
５３  底板部
５３ａ  側端
５３ｂ  後端
５３ｃ  前縁
５４  側壁部
５４ａ  前面部
５４ｂ  前端部
５５  側壁部
５５ａ  前面部
５５ｂ  前端部
５７  後壁部
５８  ＨＤＤ係止部材
５８ａ  端部  
５８ｂ  端部
５９  支持突起用溝
６０  係止部材係止機構
６１  切り欠き凹部
６２  支持突起
６３  ウイング部
【図１】
2009151525.tif 000003
【図２】
2009151525.tif 000004
【図３】
2009151525.tif 000005
【図４】
2009151525.tif 000006
【図５】
2009151525.tif 000007
【図６】
2009151525.tif 000008
【図７】
2009151525.tif 000009
【図８】
2009151525.tif 000010
【図９】
2009151525.tif 000011
【図１０】
2009151525.tif 000012
【図１１】
2009151525.tif 000013
【図１２】
2009151525.tif 000014
【図１３】
2009151525.tif 000015